(57)【要約】  着信提示方式を設置する方法、装置、システム、コンピューター記憶媒体及びデバイスを提供する。前記方法は、第一ユーザーが第二ユーザーに着信提示方式を設置し、設置を完了した着信提示方式を第二ユーザーへ発送し、第二ユーザーが前記着信提示方式の使用を同意すると、第一ユーザーが第二ユーザーを呼び出す時、前記着信提示方式で第二ユーザーに前記呼出が第一ユーザーからの呼出であることを提示することを含む。本発明の方法、装置及びシステムを利用すると、着信提示方式の個性化設置及び表しを実現できるとともに、連絡先情報に対する自動的な獲得も実現し、これによって新たな連絡先を手動で記録することを回避でき、人々が連絡先情報を速く獲得するのを便利にし、ユーザーの体験を増加させる。
2016539571.tif 000002
【特許請求の範囲】
【請求項１】
第一ユーザーが第二ユーザーに着信提示方式を設置し、
設置を完了した着信提示方式を第二ユーザーへ発送し、
第二ユーザーが前記着信提示方式の使用を同意すると、第一ユーザーが第二ユーザーを呼び出す時、前記着信提示方式で第二ユーザーに呼出が第一ユーザーからの呼出であることを提示することを含む
着信提示方式を設置する方法。
【請求項２】
着信提示方式を設置するステップは、
第一ユーザーが選択した既存の着信提示テンプレートに基づいて着信提示方式を設置し、又は、
第一ユーザーが修正した既存の着信提示テンプレートに基づいて着信提示方式を設置し、又は、
第一ユーザーが自己定義した着信提示テンプレートに基づいて着信提示方式を設置することを含む
請求項１に記載の着信提示方式を設置する方法。
【請求項３】
前記着信提示方式は、ベル音類型、ベル音高さ、表示背景、サイン情報、提示情報、振動モード、登録地における少なくとも一つの要素を含んでいる
請求項１または２に記載の着信提示方式を設置する方法。
【請求項４】
更に、前記着信提示方式を格納し、前記着信提示方式で既存の着信提示テンプレートを更新することを含む
請求項１に記載の着信提示方式を設置する方法。
【請求項５】
第一ユーザーが第二ユーザーに着信提示方式を設置するに用いられる着信設置モジュールと、
設置を完了した着信提示方式を第二ユーザーへ発送する設置割当モジュールとを含み、前記着信提示方式は、第二ユーザーが前記着信提示方式の使用を同意すると、第一ユーザーが第二ユーザーを呼び出す時、前記着信提示方式で第二ユーザーに呼出が第一ユーザーからの呼出であることを提示するためのものである
ユーザー装置。
【請求項６】
前記着信設置モジュールは、具体的に、
第一ユーザーが選択した既存の着信提示テンプレートに基づいて着信提示方式を設置する第一設置ユニット、及び／或いは、
第一ユーザーが修正した既存の着信提示テンプレートに基づいて着信提示方式を設置する第二設置ユニット、及び／或いは、
第一ユーザーが自己定義した着信提示テンプレートに基づいて着信提示方式を設置する第三設置ユニットを含む
請求項５に記載のユーザー装置。
【請求項７】
前記着信提示方式は、ベル音類型、ベル音高さ、表示背景、サイン情報、提示情報、振動モード、登録地における少なくとも一つの要素を含んでいる
請求項５又は６に記載のユーザー装置。
【請求項８】
さらに、
前記着信提示方式を格納し、前記着信提示方式で既存の着信提示テンプレートを更新する更新格納モジュールを含む
請求項５に記載のユーザー装置。
【請求項９】
第二ユーザーが第一ユーザーが発送した着信提示方式を受信するに用いられる割当受信モジュールと、前記着信提示方式は前記第一ユーザーが第二ユーザーのために設置したものであり、
前記第二ユーザーが前記割当受信モジュールが受信した着信提示方式の使用を同意すると、前記第一ユーザーが第二ユーザーを呼び出す時、前記着信提示方式で前記第二ユーザーに呼出は第一ユーザーからの呼出であることを提示するに用いられる着信提示モジュールとを含む
ユーザー装置。
【請求項１０】
前記着信提示方式は、ベル音類型、ベル音高さ、表示背景、サイン情報、提示情報、振動モード、登録地における少なくとも一つの要素を含んでいる
請求項９に記載のユーザー装置。
【請求項１１】
請求項５〜８のいずれか一項に記載のユーザー装置である第一ユーザー装置と、請求項９又は１０に記載のユーザー装置である第二ユーザー装置とを含む
通信システム。
【請求項１２】
一つ又は複数のコンピューターに、
第一ユーザーが第二ユーザーに着信提示方式を設置する操作と、
設置を完了した着信提示方式を第二ユーザーへ発送する操作と、
第二ユーザーが前記着信提示方式の使用を同意すると、第一ユーザーが第二ユーザーを呼び出す時、前記着信提示方式で第二ユーザーに呼出が第一ユーザーからの呼出であることを提示する操作とを実行させる
コンピュータープログラム。
【請求項１３】
少なくとも一つのプロセッサー、メモリ及び少なくとも一つのコンピュータープログラムを含むデバイスであって、前記少なくとも一つのコンピュータープログラムは前記メモリに記憶されて前記少なくとも一つのプロセッサーによって実行され、前記コンピュータープログラムは、
第一ユーザーが第二ユーザーに着信提示方式を設置し、
設置を完了した着信提示方式を第二ユーザーへ発送し、
第二ユーザーが前記着信提示方式の使用を同意すると、第一ユーザーが第二ユーザーを呼び出す時、前記着信提示方式で第二ユーザーに呼出が第一ユーザーからの呼出であることを提示する操作を実行するコマンドを含んでいる
デバイス。
【発明の詳細な説明】
【技術分野】
【０００１】
本出願は、出願日が２０１３年１２月０４日で、出願番号が２０１３１０６４６９０８．５で、発明名称が「着信提示方式を設置する方法、装置及びシステム」である中国特許出願の優先権を要求する。
【０００２】
本出願は、着信提示方式を設置する方法、装置、システム、コンピューター記憶媒体及びデバイスに関し、特に着信提示方式を個性的に表し連絡先の情報を自動的に獲得する技術に関する。
【背景技術】
【０００３】
いろいろな移動通信デバイスの普及につれて、移動通信デバイスで電話を受信したりかけたりするのは人々の日常生活に必需の通信手段になり、人々は必ず移動通信デバイスに新たな連絡先の連絡方式及び関連個人情報を添加し記憶して、移動通信デバイスに着信した時に、着信画面に呼出元の連絡先情報を表すようにする。
【０００４】
しかし、従来の通信デバイスの着信画面は、一般的にはシステムが表示するデフォルト画面で、この画面には通常は電話番号、呼出元の地理位置情報、受信ボタンなどの簡単で有限的な内容だけを表示し、着信画面の表示が単調で個性がない。また、ユーザーはデバイスに連絡先を添加する時に、通常は手動で新たな連絡先を記録する方式で連絡先の情報を記録する必要があるが、このような操作方式は重複的で、煩雑で、連絡先の情報のメンテナンスと更新にも便利でなく、ユーザーの製品に対する体験に影響を与える。
【発明の概要】
【発明が解決しようとする課題】
【０００５】
本発明の目的としては、着信提示方式を設置する方法、装置、システム、コンピューター記憶媒体及びデバイスを提供することである。本発明の方法、装置及びシステムを利用すると、着信提示方式の個性化設置及び表しを実現するとともに、連絡先情報の自動的な獲得も実現し、これによって新たな連絡先を手動で記録することを回避でき、人々が連絡先情報を速く獲得するのを便利にし、ユーザーの体験を増加させる。
【課題を解決するための手段】
【０００６】
本発明の一方面によると、第一ユーザーが第二ユーザーに着信提示方式を設置し、設置を完了した着信提示方式を第二ユーザーへ発送し、第二ユーザーが前記着信提示方式の使用を同意すると、第一ユーザーが第二ユーザーを呼び出す時、前記着信提示方式で第二ユーザーに前記呼出が第一ユーザーからの呼出であることを提示することを含む着信提示方式を設置する方法を提供する。
【０００７】
好ましくは、着信提示方式を設置するステップは、第一ユーザーが選択した既存の着信提示テンプレートに基づいて着信提示方式を設置し、又は、第一ユーザーが修正した既存の着信提示テンプレートに基づいて着信提示方式を設置し、又は、第一ユーザーが自己定義した着信提示テンプレートに基づいて着信提示方式を設置することを含む。
【０００８】
好ましくは、前記着信提示方式は、ベル音類型、ベル音高さ、表示背景、サイン情報、提示情報、振動モード、登録地における少なくとも一つの要素を含んでいる。
【０００９】
好ましくは、前記方法は、更に、前記着信提示方式を格納し、前記着信提示方式で既存の着信提示テンプレートを更新することを含む。
【００１０】
本発明の他の一方面によると、第一ユーザーが第二ユーザーに着信提示方式を設置するに用いられる着信設置モジュールと、設置を完了した着信提示方式を第二ユーザーへ発送する設置割当モジュールとを含み、前記着信提示方式は、第二ユーザーが前記着信提示方式の使用を同意すると、第一ユーザーが第二ユーザーを呼び出す時、前記着信提示方式で第二ユーザーに前記呼出が第一ユーザーからの呼出であることを提示するためのものであるユーザー装置を提供する。
【００１１】
好ましくは、前記着信設置モジュールは、具体的に、第一ユーザーが選択した既存の着信提示テンプレートに基づいて着信提示方式を設置する第一設置ユニット、及び／或いは、第一ユーザーが修正した既存の着信提示テンプレートに基づいて着信提示方式を設置する第二設置ユニット、及び／或いは、第一ユーザーが自己定義した着信提示テンプレートに基づいて着信提示方式を設置する第三設置ユニットを含む。
【００１２】
好ましくは、前記着信提示方式は、ベル音類型、ベル音高さ、表示背景、サイン情報、提示情報、振動モード、登録地における少なくとも一つの要素を含んでいる。
【００１３】
好ましくは、前記装置は、さらに、前記着信提示方式を格納し、前記着信提示方式で既存の着信提示テンプレートを更新する更新格納モジュールを含む。
【００１４】
本発明の他の一方面によると、第二ユーザーが第一ユーザーが発送した着信提示方式を受信するに用いられる割当受信モジュールと、前記着信提示方式は前記第一ユーザーが第二ユーザーのために設置したものであり、前記第二ユーザーが前記割当受信モジュールが受信した着信提示方式の使用を同意すると、前記第一ユーザーが第二ユーザーを呼び出す時、前記着信提示方式で前記第二ユーザーに前記呼出は第一ユーザーからの呼出であることを提示するに用いられる着信提示モジュールとを含む。
【００１５】
好ましくは、前記着信提示方式は、ベル音類型、ベル音高さ、表示背景、サイン情報、提示情報、振動モード、登録地における少なくとも一つの要素を含んでいる。
【００１６】
本発明の他の一方面によると、通信システムを提供し、前記通信システムは、第一ユーザー装置及び第二ユーザー装置を含み、ここで、前記第一ユーザー装置は、第一ユーザーが第二ユーザーに着信提示方式を設置するに用いられる着信設置モジュールと、設置を完了した着信提示方式を第二ユーザーへ発送する設置割当モジュールとを含み、前記着信提示方式は、第二ユーザーが前記着信提示方式の使用を同意すると、第一ユーザーが第二ユーザーを呼び出す時、前記着信提示方式で第二ユーザーに前記呼出が第一ユーザーからの呼出であることを提示するためのものである。前記第二ユーザー装置は、第二ユーザーが第一ユーザーが発送した着信提示方式を受信するに用いられる割当受信モジュールと、前記着信提示方式は前記第一ユーザーが第二ユーザーのために設置したものであり、前記第二ユーザーが前記割当受信モジュールが受信した着信提示方式の使用を同意すると、前記第一ユーザーが第二ユーザーを呼び出す時、前記着信提示方式で前記第二ユーザーに前記呼出は第一ユーザーからの呼出であることを提示するに用いられる着信提示モジュールとを含む。
【００１７】
本発明の他の一方面によると、コンピュータープログラムがコード化されているコンピューター記憶媒体を提供し、前記プログラムは一つ又は複数のコンピューターによって実行される時前記一つ又は複数のコンピューターに、
第一ユーザーが第二ユーザーに着信提示方式を設置し、
設置を完了した着信提示方式を第二ユーザーへ発送し、
第二ユーザーが前記着信提示方式の使用を同意すると、第一ユーザーが第二ユーザーを呼び出す時、前記着信提示方式で第二ユーザーに前記呼出が第一ユーザーからの呼出であることを提示する操作を実行させる。
【００１８】
本発明の他の一方面によると、少なくとも一つのプロセッサー、メモリ及び少なくとも一つのコンピュータープログラムを含むデバイスを提供し、前記少なくとも一つのコンピュータープログラムは前記メモリに記憶されて前記少なくとも一つのプロセッサーによって実行され、前記コンピュータープログラムは、
第一ユーザーが第二ユーザーに着信提示方式を設置し、
設置を完了した着信提示方式を第二ユーザーへ発送し、
第二ユーザーが前記着信提示方式の使用を同意すると、第一ユーザーが第二ユーザーを呼び出す時、前記着信提示方式で第二ユーザーに前記呼出が第一ユーザーからの呼出であることを提示する操作を実行するコマンドを含んでいる。
【発明の効果】
【００１９】
従来の技術に比べると、本発明は、以下の利点を有する。
【００２０】
本発明は、着信提示方式の個性化設置及び表しを実現できるとともに、連絡先情報に対する自動的な獲得も実現し、これによって新たな連絡先を手動で記録することを回避でき、人々が連絡先情報を速く獲得するのを便利にし、ユーザーの体験を増加させる。
【図面の簡単な説明】
【００２１】
以下の図面を参照して記載した内容によって、本発明の上述及び他の目的及び特徴はより明確になる。
【００２２】
【図１】本発明の例示的な実施例の着信提示方式を設置する方法のフロチャートである。
【図２】本発明の例示的な実施例による着信提示方式を設置するユーザー装置の構造ブロック図である。
【図３】本発明の例示的な実施例による着信提示方式を受信及び表すユーザー装置の構造ブロック図である。
【図４】本発明の例示的な実施例による着信提示方式の設置、受信及び表す通信システムのシステム構造ブロック図である。
【発明を実施するための形態】
【００２３】
以下では、図面を参照して本発明の実施例を詳細に説明する。
【００２４】
図１は、本発明の例示的な実施例の着信提示方式を設置する方法のフロチャートである。図２に示す着信提示方式を設置する装置は、図１に示す１１０及び１２０に用いられる。
【００２５】
図１を参照すると、１１０において、第一ユーザーは前記装置を通じて第二ユーザーに着信提示方式を設置する。
【００２６】
本発明の一つの例示的な実施例によると、前記装置が着信提示方式を設置する具体的なステップは、前記装置が、第一ユーザーが選択した既存の着信提示テンプレートに基づいて着信提示方式を設置する。
【００２７】
ここで、着信提示テンプレートには、ベル音類型、ベル音高さ、表示背景、サイン情報、提示情報、振動モード、登録地などの個性化情報要素を含み、本発明ではこれに対して限定していなく、ユーザーが連絡先を了解するに有利ないろいろな内容であれば全部着信提示テンプレートにおける編集可能な情報要素とすればよい。また、着信提示テンプレートには、これらの情報要素の着信画面での表しスタイル（例えば、情報要素の画面で表示される大きさ、色及び文字フォントのスタイルと大きさ等）及び表し位置情報（例えば、情報要素の画面に表示される相対位置又は絶対位置等）も含んでいてもよい。要するに、連絡先情報を個性化に表せるいろいろな内容は全部着信提示テンプレートに設置して、着信画面の構成を豊富にする。これによって、従来の携帯電話のシステムで提供する単調な着信画面に比べると、本発明の着信画面の表示内容はより豊富で、多様化されており、またより個性化している。
【００２８】
具体的に実施する時、これらの着信提示テンプレートを予めにクラウド側に記憶させてもよく、直接にローカルのデバイスに記憶してもよく、ユーザーが使用する必要がある時に、前記装置はクラウド側からユーザーが好きな着信提示テンプレートをダウンロードしてもよく、ローカルのデバイスから直接に着信提示テンプレートを獲得してもよく、ユーザーは前記装置に表示した既存の着信提示テンプレートから選択し、選択した着信提示テンプレートを着信提示方式として確定することができる。
【００２９】
既存の着信提示テンプレートがユーザーの需要を必ずに満足できないので、本発明の他の例示の実施例によると、前記着信提示方式を設置する具体的なステップは、前記装置が第一ユーザーが修正した既存の着信提示テンプレートに基づいて着信提示方式を設置する。
【００３０】
また、ユーザーの個性化需要を満足させるために、本発明のまた他の一例示的な実施例によると、前記装置が着信提示方式を設置する具体的なステップは、前記装置が第一ユーザーが自己定義した着信提示テンプレートに基づいて着信提示方式を設置する。
【００３１】
１２０において、前記装置が設置を完了した着信提示方式を第二ユーザーへ発送する。
【００３２】
本発明の一つの好ましい実施例によると、前記装置がクラウド側サーバーを介して第二ユーザーへ着信提示方式を持っている割当要求を発送する。
【００３３】
なお、本発明の一つの好ましい実施例によると、前記装置は、またブルートゥース（登録商標）無線近距離技術によって第二ユーザーへ着信提示方式を付いた割当要求を発送してもよい。
【００３４】
ここで、第二ユーザーは一つであってもよく、複数であってもよいので、前記装置は呼出元から呼出先に着信画面の表し内容を設置することを実現するとともに、着信提示方式の情報の共有も実現し、これはユーザー互いの連絡を便利にし、ユーザーの製品についての体験を向上させる。
【００３５】
なお、前記の方法の以外に、前記装置は、いろいろな無線通信技術によって設置を完了した着信提示方式を第二ユーザーへ発送する。
【００３６】
図３に示す着信提示方式を受信及び表す装置は、図１に示す１３０を実現するのに用いられる。
【００３７】
１３０において、第二ユーザーが前記着信提示方式を利用することを同意すると、前記装置は第一ユーザーが第二ユーザーを呼び出す時に、前記着信提示方式によって第二ユーザーに前記呼出は第一ユーザーからの呼出であることを提示する。
【００３８】
第二ユーザーが所在する通信デバイスが着信提示方式を付いた割当要求を受信すると、前記装置はメッセージ通知または着信プレビュー等の表し形式によって第二ユーザーに通知して、第二ユーザーが受信した着信提示方式を使用することを同意するか否かを確定し、具体的に、前記装置は、メッゼージ通知の形式でユーザーに「ＸＸユーザーが貴方にＸＸ連絡先の着信表示情報を注文したが、受信しますか？」、または「あなたはＸＸ連絡先の着信表示情報を受信しますか」等を提示し、第二ユーザーが受信した着信提示方式の使用を同意すると、第一ユーザーから受信した着信提示方式を第一ユーザーの着信提示方式とし、第一ユーザーが第二ユーザーを呼び出す時に、前記装置は受信した着信提示方式で第二ユーザーに該呼出は第一ユーザーからの呼出であることを提示する。
【００３９】
なお、ユーザーが着信提示方式を重複に設置することを回避するように、本発明の一つの例示的な実施例によると、図１に示す実施例で、前記装置は設置を完了した着信提示方式を格納し、前記着信提示方式で既存の着信提示テンプレートを更新する。
【００４０】
図２は、本発明の着信提示方式を設置するユーザー装置の好ましい実施例の構造ブロック図を示す。
【００４１】
図２を参照すると、前記装置には少なくとも着信設置モジュール２０１と、設置割当モジュール２０２を含んでいる。
【００４２】
ここで、着信設置モジュール２０１は、第一ユーザーが第二ユーザーに着信提示方式を設置するのに用いられる。
【００４３】
設置割当モジュール２０２は、設置を完了した着信提示方式を第二ユーザーへ発送するのに用いられる。前記着信提示方式は、第二ユーザーが前記着信提示方式の使用を同意すると、第一ユーザーが第二ユーザーを呼び出す時、前記着信提示方式で第二ユーザーに前記呼出が第一ユーザーからの呼出であることを提示するためのものである。
【００４４】
本発明の一つの例示的な実施例によると、前記着信設置モジュール２０１は、第一ユーザーが選択した既存の着信提示テンプレートに基づいて着信提示方式を設置する。
【００４５】
ここで、着信提示テンプレートには、ベル音類型、ベル音高さ、表示背景、サイン情報、提示情報、振動モード、登録地等の個性化情報要素を含んでいてもよく、本発明はこれに対して制限していなく、ユーザーが解連絡先を了解するに有利ないろいろな内容であれば全部着信提示テンプレートにおける編集可能な情報要素とすることができる。また、着信提示テンプレートには、またこれらの情報要素の着信画面での表しスタイル（例えば、情報要素の画面で表示される大きさ、色及び文字フォントのスタイルと大きさ等）及び表し位置情報（例えば、情報要素の画面に表示される相対位置又は絶対位置等）も含んでいてもよい。これらの着信提示テンプレートは予めにクラウド側に格納してもよく、直接にローカルのデバイスに格納されてもよい。
【００４６】
既存の着信提示テンプレートがユーザーの需要を必ずに満足できないので、前記着信設置モジュール２０１は、第一ユーザーが修正した既存の着信提示テンプレートに基づいて着信提示方式を設置する。
【００４７】
また、ユーザーの個性化需要をもう一歩満足させるように、本発明のまた他の一例示的な実施例によると、前記着信設置モジュール２０１は、第一ユーザーが自己定義した着信提示テンプレートに基づいて着信提示方式を設置する。
【００４８】
具体的に実施する時、前記装置は、単独にいずれの一つの着信提示方式の設置方案を実施してもよく、これらの設置方案を一つに組合せて同時に実施して、着信提示方式の設置を実現してもよく、本発明はこれに対して制限されていなく、着信提示方式の設置を実現できればよい。
【００４９】
なお、ユーザーが着信提示方式を重複に設置することを回避するように、本発明の一つの例示的な実施例によると、図２に示す実施例で、さらに、設置を完了した着信提示方式を格納して、既存の着信提示テンプレートを更新する着信更新モジュール（図面に示しなし）を含んでいる。
【００５０】
図３は、本発明の着信提示方式を受信及び表すユーザー装置の好ましい実施例の構造ブロック図を示す。
【００５１】
図３を参照すると、前記装置は少なくとも割当受信モジュール３０１と着信提示モジュール３０２とを含む。
【００５２】
ここで、割当受信モジュール３０１は、第二ユーザーが第一ユーザーが発送した着信提示方式を受信するに用いられ、前記着信提示方式は前記第一ユーザーが第二ユーザーのために設置したものである。
【００５３】
着信提示モジュール３０２は、前記第二ユーザーが前記割当受信モジュールが受信した着信提示方式の使用を同意すると、前記第一ユーザーが第二ユーザーを呼び出す時、前記着信提示方式で前記第二ユーザーに前記呼出は第一ユーザーからの呼出であることを提示するのに用いられる。
【００５４】
ここで、着信提示テンプレートには、ベル音類型、ベル音高さ、表示背景、サイン情報、提示情報、振動モード、登録地などの個性化情報要素を含み、本発明ではこれに対して限定していなく、ユーザーが連絡先を了解するに有利ないろいろな内容であれば全部着信提示テンプレートにおける編集可能な情報要素とすればよい。また、着信提示テンプレートには、これらの情報要素の着信画面での表しスタイル（例えば、情報要素の画面で表示される大きさ、色及び文字フォントのスタイルと大きさ等）及び表し位置情報（例えば、情報要素の画面に表示される相対位置又は絶対位置等）も含んでいてもよい。要するに、連絡先情報を個性化に表せるいろいろな内容であれば全部着信提示テンプレートに設置して、着信画面の構成を豊富にする。これによって、従来の携帯電話のシステムで提供する単調な着信画面に比べると、本発明の着信画面の表示内容はより豊富で、多様化されており、またより個性化している。
【００５５】
図４は、本発明の着信提示方式設置、受信及び表しを実現する通信システムの好ましい実施例の構造ブロック図を示す。
【００５６】
図４を参照すると、前記装置には少なくとも第一ユーザー装置４０１と、第二ユーザー装置４０２とを含んでいる。
【００５７】
ここで、第一ユーザー装置４０１は、図２に示す着信提示方式を設置するユーザー装置であり、第二ユーザー装置４０２は、図３に示す着信提示方式を受信及び表すユーザー装置である。
【００５８】
以上のように、本発明は、着信提示方式の個性化設置及び表しを実現するとともに、連絡先情報の自動的な獲得も実現し、これは新たな連絡先を手動で記録することを回避し、人々が連絡先情報を速く獲得するのを便利にし、ユーザーの体験を増加させる。
【００５９】
実施の需要に基づいて本出願で記載した各ステップをより多いステップに分割してもよく、二つ又は一組のステップ又はステップの一部の操作を新たなステップに組合せて、本発明の目的を実現してもよい。
【００６０】
本発明による方法は、ハードウェア、ファームウェアで実現でき、又は記憶媒体（例えば、ＣＤ  ＲＯＭ、ＲＡＭ、フロッピー（登録商標）ディスク、ハードウェア又は磁気光ディスク）に記憶されたコンピューターコードで実現されてもよく、又はネットワークを介してダウンロードした元は遠隔記憶媒体又は不発揮性機械可読記憶媒体に記憶されたがローカル記憶媒体に記憶されるコンピューターコードで実現されてもよく、ここで記載した方法は通用のコンピューター、専用プロセッサーまたは編集可能なまたは専用のハードウェア（例えばＡＳＩＣ又はＦＰＧＡ）の記憶媒体に記憶されたソフトウェアによって処理される。コンピューター、プロセッサー、マイクロプロセッサーコントローラー又はプログラムブルハードウェアは、ソフトウェア又はコンピューターコードを記憶又は受信できる記憶モジュール（例えば、ＲＡＭ、ＲＯＭ、フラッシュメモリ等）を含み、前記ソフトウェアまたはコンピューターコードがコンピューター、プロセッサー又はハードウェアにアクセスされて実行されると、ここで記述した処理方法が実現される。なお、通用コンピューターがここで示す処理を実現するコードをアクセスする時、コードの実行は通用のコンピューターをここで示す処理を実行する専用のコンピューターに転換する。
【００６１】
好ましい実施例を参照して本発明を表示し記載したが、本分野の当業者であれば、特許請求の範囲に限定した本発明の主旨及び範囲を離脱しない前提で、これらの実施例にいろいろな修正及び変換をできるのを了解できる。
【図１】
2016539571.tif 000003
【図２】
2016539571.tif 000004
【図３】
2016539571.tif 000005
【図４】
2016539571.tif 000006
【国際調査報告】
2016539571.tif 000007
2016539571.tif 000008
2016539571.tif 000009
2016539571.tif 000010
2016539571.tif 000011
2016539571.tif 000012